(57)【要約】【課題】装着体の被装着体への装着が容易となる誘導装置を提供すること。【解決手段】誘導装置は、装着体に形成された第１誘導部と、装着体を装着する被装着体に形成された第２誘導部と、を備える。第１誘導部と第２誘導部のうち一方は、レールをなす凹部を有する。第１誘導部と第２誘導部のうち他方は、凹部と嵌合する凸部を有する。凸部は、凹部に向かって先細りするようなＶ字状の第１角部を有する。凹部は、凸部に向かって拡張するようなＶ字状の第２角部を有する。第１角部と第２角部とは、第１誘導部と第２誘導部とが摺動可能となるように嵌合する。【選択図】図１
2011199189.tif 000002
【特許請求の範囲】
【請求項１】
装着体に形成された第１誘導部と、
前記装着体を装着する被装着体に形成された第２誘導部と、を備え、
前記第１誘導部と前記第２誘導部のうち一方は、レールをなす凹部を有し、
前記第１誘導部と前記第２誘導部のうち他方は、前記凹部と嵌合する凸部を有し、
前記凸部は、前記凹部に向かって先細りするようなＶ字状の第１角部を有し、
前記凹部は、前記凸部に向かって拡張するようなＶ字状の第２角部を有し、
前記第１角部と前記第２角部とは、前記第１誘導部と前記第２誘導部とが摺動可能となるように嵌合することを特徴とする誘導装置。
【請求項２】
前記第１誘導部と前記第２誘導部のうち少なくともいずれかは、前記第１誘導部と前記第２誘導部の延在方向に対して垂直方向に位置調整可能であることを特徴とする請求項１に記載の誘導装置。
【請求項３】
前記第１誘導部と前記第２誘導部のうち位置調整可能なものを前記装着体又は前記被装着体に固定する留具をさらに備え、
前記第１誘導部と前記第２誘導部のうち位置調整可能なものは、貫通孔を有し、
前記留具は、前記貫通孔に挿入されて前記装着体又は前記被装着体に前記第１誘導部又は前記第２誘導部を固定することを特徴する請求項２に記載の誘導装置。
【請求項４】
前記第１誘導部と前記第２誘導部のうち少なくともいずれかは樹脂で形成されていることを特徴とする請求項１〜３のいずれか一項に記載の誘導装置。
【発明の詳細な説明】
【技術分野】
【０００１】
本発明は、装着体を被装着体に装着する際に装着体を誘導するための誘導装置に関する。
【背景技術】
【０００２】
コンピュータ等の電子機器においては、基板や機能ユニットが筐体に装着されるよう構成されている。この場合、筐体や機能ユニットには、装着のためのレール等が形成されている（例えば、特許文献１及び特許文献２参照）
【０００３】
特許文献１に記載のユニット位置決め装置においては、ユニットの上下に設けた凸状ガイドレールを、ユニットを収納するラックに設置した凹状ガイドレールに挿入することで、ユニットの位置決めを行い、ユニットの凸状ガイドレールに３個の凸部を設け、その３個の凸部をラックの凹状ガイドレールに摺動自在に装着する。
【０００４】
特許文献２に記載の棚板装置においては、ラックを構成する上側棚板と下側棚板との間に装置ユニットを挿入配置してなり、装置ユニットの上面及び下面のそれぞれには上側レール及び下側レールを設ける一方、上側棚板及び下側棚板のそれぞれには装置ユニットの上側レール及び下側レールを挿入しかつ案内する上側レール溝及び下側レール溝を形成し、上側棚板に形成した上側レール溝の溝幅を、装置ユニットの挿入方向に先細形状としている。
【先行技術文献】
【特許文献】
【０００５】
【特許文献１】特開２００６−２３７４８７号公報
【特許文献２】特開２０００−６８６７０号公報
【発明の概要】
【発明が解決しようとする課題】
【０００６】
以下の分析は、本発明の観点から与えられる。
【０００７】
特許文献１及び特許文献２に記載されているレールの端面形状は矩形となっている。このとき、被装着体のレールが、装着体によって死角となる場合、又は装着体のレールと被装着体のレールとの間の遊びが小さい場合には、装着体の挿入をスムーズに実施することができなくなる。一方、遊びが大きい場合には、装着体を被装着体に挿入することができても、装着体のコネクタと被装着体のコネクタの位置が合わず、コネクタの接合に手間取ることになる。
【０００８】
本発明の目的は、装着体の被装着体への装着が容易となる誘導装置を提供することである。
【課題を解決するための手段】
【０００９】
本発明の第１視点によれば、誘導装置は、装着体に形成された第１誘導部と、装着体を装着する被装着体に形成された第２誘導部と、を備える。第１誘導部と第２誘導部のうち一方は、レールをなす凹部を有する。第１誘導部と第２誘導部のうち他方は、凹部と嵌合する凸部を有する。凸部は、凹部に向かって先細りするようなＶ字状の第１角部を有する。凹部は、凸部に向かって拡張するようなＶ字状の第２角部を有する。第１角部と第２角部とは、第１誘導部と第２誘導部とが摺動可能となるように嵌合する。
【００１０】
上記第１視点の好ましい形態によれば、第１誘導部と第２誘導部のうち少なくともいずれかは、第１誘導部と第２誘導部の延在方向に対して垂直方向に位置調整可能である。
【００１１】
上記第１視点の好ましい形態によれば、誘導装置は、第１誘導部と第２誘導部のうち位置調整可能なものを装着体又は被装着体に固定する留具をさらに備える。第１誘導部と第２誘導部のうち位置調整可能なものは、貫通孔を有する。留具は、貫通孔に挿入されて装着体又は被装着体に第１誘導部又は第２誘導部を固定する。
【００１２】
上記第１視点の好ましい形態によれば、第１誘導部と第２誘導部のうち少なくともいずれかは樹脂で形成されている。
【発明の効果】
【００１３】
本発明によれば、誘導装置が死角となる場合であっても、被装着体に装着体を容易に挿入することができると共に、装着体の位置決めも容易に行うことができる。
【図面の簡単な説明】
【００１４】
【図１】本発明の誘導装置を適用した電子機器の概略斜視図。
【図２】本発明の誘導装置の概略平面図。
【図３】本発明の誘導装置の概略平面図。
【図４】装着体の上面方向から見た、装着体と被装着体の電気的接合部の概略部分平面図。
【図５】装着体の上面方向から見た、装着体と被装着体の電気的接合部の概略部分平面図。
【図６】第２誘導部の概略部分平面図。
【図７】図６のＶ−Ｖ線における概略断面図。
【発明を実施するための形態】
【００１５】
本発明の第１実施形態に係る誘導装置について説明する。図１に、本発明の誘導装置を適用した電子機器の概略斜視図を示す。図２及び図３に、本発明の誘導装置の概略平面図を示す。電子機器１０は、装着体１１と、装着体１１が装着される被装着体１３と、を備える。
【００１６】
誘導装置は、装着体１１に形成された第１誘導部１２と、被装着体１３に形成された第２誘導部１４と、を備える。装着体１１は、例えば、電子機器１０に装着される基板、冷却装置等の機能ユニット等である。被装着体１３は、例えば、装着体１１を装着ないし収容する筐体、ラック等である。
【００１７】
装着体１１の第１誘導部１２は、被装着体１３の第２誘導部１４と嵌合することによって、装着体１１を被装着体１３に装着する際に第２誘導部１４によって誘導される。例えば、第２誘導部１４を凹状（溝状・雌状）のレールとして形成し、第１誘導部１２を、当該凹状のレールと嵌合する凸状（雄状）のレールとして形成することができる。図１〜図３に示す本実施形態においては、第１誘導部１２が凸部を有し、第２誘導部１４が凹部を有するが、第１誘導部１２が凹部を有し、第２誘導部１４が凸部を有してもよい。
【００１８】
第１誘導部１２は、先端方向（第２誘導部１４）に向かって先細りするテーパ状となっている。例えば、第１誘導部１２は、第１角部１２ｂと、第１角部１２ｂを形成する２つの第１テーパ面１２ａと、を有する。図１〜３に示す形態においては、その平面形状（断面形状）は三角形状又はＶ字状となっている。また、第１誘導部１２は、曲面を有していたり、半球状であってもよい。２つの第１テーパ面１２ａは、両方とも第２誘導部１４に面するように形成されている。
【００１９】
第２誘導部１４は、開放方向（第１誘導部１２）に向かって拡張するテーパ状となっている。第２誘導部１４の形状は、第１誘導部１２の形状と合致する形状であると好ましい。図１〜３に示す形態においては、第２誘導部１４はＶ字状の溝となっており、第２角部１４ｂと、第２角部１４ｂを形成する２つのテーパ面１４ａと、を有する。また、第１誘導部１２が例えば凸状曲面を有する場合には、第２誘導部１４もその形状に応じた凹状曲面を有するようにすると好ましい。第２誘導部１４は、凹部（図１〜図３に示す形態においては２つの第２テーパ面１４ａの幅）を幅広にするとより誘導しやすくなる。２つの第２テーパ面１４ａは、両方とも第１誘導部１２に面するように形成されている。
【００２０】
第１誘導部１２の第１角部１２ｂと第２誘導部１４の第２角部１４ｂとは、摺動可能に嵌合する。
【００２１】
第１誘導部１２の第１角部１２ｂの角度と第２誘導部１４の第２角部１４ｂの角度の合計は、３６０°であってもよいし、３６０°より大きくても小さくてもよい。３６０°の場合、第１誘導部１２の第１角部１２ｂと第２誘導部１４の第２角部１４ｂとが隙間なく嵌合することができる。３６０°より小さい場合、主として、第１角部１２ｂと第２角部１４ｂとで摺動することになる。３６０°より大きい場合、角部では接触せずに、角部以外の部分で接触することになる。いずれにしても、以下に説明する作用を発揮することができる。第１誘導部１２の第１角部１２ｂの角度と第２誘導部１４の第２角部１４ｂの角度の合計と、３６０°との差異は、±１０°以下であると好ましく、±５°以下であるとより好ましい。
【００２２】
次に、本発明の誘導装置の作用について説明する。図４及び図５は、装着体の上面方向から見た、装着体と被装着体の電気的接合部の概略部分平面図である。図４は、図２に対応し、図５は、図３に対応する。図２に示すように、装着体１１を被装着体１３に挿入する際、適切な位置からずれてしまうことがある。この場合、図４に示すように、装着体１１の背面側にある第１コネクタ（例えば雄コネクタ）１５の位置と、被装着体１３の第２コネクタ（例えば雌コネクタ）１６の位置との間はズレ（両矢印）が生じ、第１コネクタ１５と第２コネクタとを電気的に接続することはできない。しかし、本発明の誘導装置によれば、第１誘導部１２の第１テーパ面１２ａと第２誘導部１４の第２テーパ面１４ａとが当接することにより、図３に示すように、装着体１１はテーパ面１２ａ，１４ａに沿って（点線から実線へ）適切な位置に誘導される。そして、第１誘導部１２の第１角部１２ｂと第２誘導部１４の第２角部１４ｂとが嵌合することにより装着体１１の位置決めをすることができる。このとき、図５に示すように、装着体１１は、第１コネクタ１５と第２コネクタとの位置が合致するように容易に誘導され、第１コネクタ１５と第２コネクタとを電気的に接続することができるようになる。したがって、装着体１１を被装着体１３に挿入する際に厳密な位置合わせが不要となり、誘導部が死角になったとしても装着体１１を容易に挿入することができる。
【００２３】
凹状の第２誘導部１４の２つの第２テーパ面１４の幅は、挿入時の遊びが増大するように幅広に形成すると好ましい。
【００２４】
次に、本発明の誘導装置の好ましい形態について説明する。
【００２５】
第１誘導部１２と第２誘導部１４の少なくとも一方は、樹脂で形成すると好ましい。これにより摺動性を改善することができる。第１誘導部１２と第２誘導部１４の接触面を樹脂で形成してもよい。
【００２６】
第１誘導部１２と第２誘導部１４のうち少なくとも一方は、その取付位置を調整可能なように構成すると好ましい。例えば、第１誘導部１２と第２誘導部１４のうち少なくとも一方は、延在方向（誘導方向）に対して垂直方向に位置を調整可能なように留具によって固定されていると好ましい。
【００２７】
図６及び図７に、第２誘導部１４を位置調整するための構成の一例を示す。図６は、第２誘導部の概略部分平面図である。図７は、図６のＶ−Ｖ線における概略断面図である。第２誘導部１４は、第２テーパ面１４ａから被装着体１３方向に貫通する第１貫通孔１４ｃを有する。第１貫通孔１４ｃは、第２誘導部１４の延在方向（第２角部の延在方向）に対して垂直方向に延在する。第１貫通孔１４ｃに沿って、留具１７，１８によって挟持される薄片状の被挟持部１４ｄが形成されている。ネジ、ボルト等の第１留具１７は、第１貫通孔１４ｃ、及び被装着体１３に形成された第２貫通孔１３ａに挿入され、ナット等の第２留具１８と結合することによって、被挟持部１４ｄ及び被装着体１３を挟み込み、第２誘導部１４を被装着体１３に固定される。位置調整する場合には、第１留具１７及び第２留具を緩めて、第２誘導部１４を第１貫通孔１４ｃに沿って移動させ、その後第１留具１７及び第２留具を締める。図６及び図７に示す形態においては、被装着体１４の第１貫通孔１４ｃに沿って位置調整できるように第１貫通孔１４ｃを縦長にしたが、被装着体１３の第２貫通孔１３ａに沿って位置調整できるように第２貫通孔１３ａを縦長にすることもできる。また、第１誘導部１２の位置を調整する場合にも同様の構成をとることができる。
【００２８】
装着体の実装位置決め高精度が要求される場合であっても、第１誘導部１２及び第２誘導部１３の少なくとも一方を位置調整可能に構成することにより、装着体１１及び被装着体１３の製作精度を下げることができ、より安価な製造コストにすることができる。
【００２９】
本発明の誘導装置は、上記実施形態に基づいて説明されているが、上記実施形態に限定されることなく、本発明の範囲内において、かつ本発明の基本的技術思想に基づいて、上記実施形態に対し種々の変形、変更及び改良を含むことができることはいうまでもない。また、本発明の請求の範囲の枠内において、種々の開示要素の多様な組み合わせ・置換ないし選択が可能である。
【００３０】
本発明のさらなる課題、目的及び展開形態は、請求の範囲を含む本発明の全開示事項からも明らかにされる。
【符号の説明】
【００３１】
１０          電子機器
１１          装着体
１２          第１誘導部
１２ａ        第１テーパ面
１２ｂ        第１角部
１３          被装着体
１４          第２誘導部
１４ａ        第２テーパ面
１４ｂ        第２角部
１４ｃ        第１貫通孔
１４ｄ        被挟持部
１５          第１コネクタ
１６          第２コネクタ
１７          第１留具
１８          第２留具
【図１】
2011199189.tif 000003
【図２】
2011199189.tif 000004
【図３】
2011199189.tif 000005
【図４】
2011199189.tif 000006
【図５】
2011199189.tif 000007
【図６】
2011199189.tif 000008
【図７】
2011199189.tif 000009